(57)【要約】      （修正有）【課題】大型で平面略円板状からなる被梱包物を梱包し、安全・確実に輸送可能であり、かつ、一定の強度を実現しつつ、軽量化を可能とし、くん蒸処理が不要であり、使用後は焼却等によって簡便に廃棄することが可能な梱包箱を提供する。【解決手段】被梱包物Ｓの略円形状からなる底面部の中心を、平面略方形状をなす対角線中心位置に対応させ、その上面に載置して支持可能とする全体紙製の支持台紙２０と、支持台紙の上面に載置される被梱包物の平面円形をなす外周胴側部Ｓａに当接し、被梱包物の外周胴側部を囲繞する状態で支持可能とする湾曲部３０ｃを備え、支持台紙の上面に取着される全体紙製からなる緩衝体３０ａ、３０ｂと、支持台紙上に載置され、緩衝体により、外周胴側部を囲繞する状態で支持される被梱包物の上方を覆い、平面方形状の上蓋部の各周辺部において下方に延びる側蓋部４１〜４４を備え、側蓋部を支持台紙の各辺部に当接して取着可能としてなる紙製の蓋体４０と、を備える。【選択図】図２
0003226789.tif 000002
【実用新案登録請求の範囲】
【請求項１】
平面略円板状からなる被梱包物を梱包し、収容可能とする梱包箱であって、
前記被梱包物の略円形状からなる底面部の中心を、平面略方形状をなす対角線中心位置に対応させ、その上面に載置して支持可能とする全体紙製の支持台紙と、
前記支持台紙の上面に載置される前記被梱包物の平面円形をなす外周胴側部に当接し、前記被梱包物の前記外周胴側部を囲繞する状態で支持可能とする湾曲部を備え、前記支持台紙の上面に取着される全体紙製からなる緩衝体と、
前記支持台紙上に載置され、前記緩衝体により、前記外周胴側部を囲繞する状態で支持される前記被梱包物の上方を覆い、平面方形状の上蓋部の各周辺部において下方に延びる側蓋部を備え、前記側蓋部を前記支持台紙の各辺部に当接して取着可能としてなる紙製の蓋体と、
を備えることを特徴とする梱包箱。
【請求項２】
前記支持台紙は、その全体を紙管原紙により形成することとしてなる請求項１に記載の梱包箱。
【請求項３】
前記緩衝体は、前記支持台紙の上面に載置される前記被梱包物の前記外周胴側部において、複数備えられ、
複数の前記緩衝体のそれぞれが備える前記湾曲部によって、前記外周胴側部を囲繞する状態で支持可能とすることとしてなる請求項１に記載の梱包箱。
【請求項４】
前記緩衝体は、前記支持台紙の上面に載置される前記被梱包物の前記外周胴側部において、２つ備えられ、
２つの前記緩衝体のそれぞれが備える前記湾曲部は、前記外周胴側部の曲率に対応し、
２つの前記緩衝体はそれぞれ、全体略長方形をなし、その短辺に平行であり、交互に配置された山折り線と谷折り線からなる複数の折り線を有し、前記山折り線と前記谷折り線の一方において、その中央部には、前記湾曲部に対応する曲率を有する１対の曲面が形成され、
前記山折り線と前記谷折り線で山折りと谷折りをそれぞれ行うことによって重合し、その重合面を貼り合わせるようにして、同じ向きの前記曲面を重合して半円形状の前記湾曲部を形成し、こうして形成される前記支持台紙の上面に載置される前記被梱包物の前記外周胴側部に当接可能となるように前記支持台紙の上面に取着されることとしてなる請求項１に記載の梱包箱。
【請求項５】
前記緩衝体は、前記山折り線と前記谷折り線のうち前記曲面が形成されていない折り線に、平面略矩形状の舌片部が形成され、前記舌片部は、一辺が前記緩衝体に支持され、ほかの３辺が前記緩衝体から分離されて、前記緩衝体の長辺方向に沿って延びており、前記重合後に前記舌片部を前記緩衝体の側面に沿うように折り込むことにより重合された紙材の解離を抑える請求項４に記載の梱包箱。
【請求項６】
前記緩衝体は、前記支持台紙の上面に載置される前記被梱包物の前記外周胴側部において、２つ備えられ、
２つの前記緩衝体のそれぞれが備える前記湾曲部は、前記外周胴側部の曲率に対応し、
２つの前記緩衝体はそれぞれ、全体方形状の紙材の中心に平面円形をなす、前記被梱包物の前記外周胴側部に当接可能な直径を有する円形孔を穿設し、前記紙材の隣接する隅部同士を対応させるように紙材を２つ折りに重合して重合面を貼り合わせるようにして前記円形孔により半円形状の前記湾曲部を形成し、こうして形成される前記湾曲部同士が連続するように、前記支持台紙の上面に載置される前記被梱包物の平面円形をなす前記外周胴側部に当接可能となるように前記支持台紙の上面に取着されることとしてなる請求項１に記載の梱包箱。
【請求項７】
前記緩衝体は、その全体を段ボール材により形成することとしてなる請求項２に記載の梱包箱。
【請求項８】
平面略方形状をなす前記支持台紙の下面には、平行状態にある２つの前記辺部と略平行に配列される少なくとも一対からなる全体紙製の脚桁材を取着することとしてなる請求項１に記載の梱包箱。
【請求項９】
前記支持台紙上に載置され、前記緩衝体により前記外周胴側部を囲繞する状態で支持される前記被梱包物は、前記側蓋部を前記支持台紙の各辺部に当接して取着された紙製の蓋体によりその上方が覆われ、こうして梱包された前記被梱包物は蓋体の平面方形状の前記上蓋部の対向する一対の周辺部、前記支持台紙の平面方形状の前記上蓋部の対向する一対の周辺部と交差する状態で周回し、懸け回される結束体により一体に結着することを可能としてなる請求項１に記載の梱包箱。
【請求項１０】
平面略円板状からなる前記被梱包物が大型のベアリング、大型の歯車、大型のレンズのいずれかである請求項１に記載の梱包箱。
【考案の詳細な説明】
【技術分野】
【０００１】
本考案は、例えば風力発電用のプロペラシャフトの軸周りに配設される大型のベアリング、大型発電機のタービンシャフト回りに配設される大型の歯車、天文台や灯台に設置される大型のレンズなどの平面略円板状からなる被梱包物を梱包し、運搬・保管するのに最適な梱包箱に関する。
【背景技術】
【０００２】
従来、例えば風力発電用のプロペラシャフトの軸周りに配設される大型のベアリングや大型発電機のタービンシャフト回りに配設される大型の歯車等の平面略円板状からなる被梱包物を梱包して運搬する場合、一般的にはこれを収容する大きさからなる専用の木箱を製作して収容し、被梱包物を梱包した木箱ごとトラックの荷台に載置して運搬したり、被梱包物を梱包した木箱ごとコンテナに収容して輸出し、運搬することとしていた。
【０００３】
このように大型のベアリングや歯車に代表される高荷重で輸送上の取り扱いにおいて精密度が要求される被梱包物は、必要に応じて木箱の内部において被梱包物を被包する発砲スチロール等で形成される緩衝材を介装することとし、輸送中に生じる振動や積載時に生じる外力から、被梱包物を守るようにしていた。
【先行技術文献】
【特許文献】
【０００４】
【特許文献１】実用新案登録第３１７１５２９号公報
【特許文献２】特開２０１５−１８９５１１号公報
【特許文献３】特開平１０−１１４３６８号公報
【考案の概要】
【考案が解決しようとする課題】
【０００５】
ところで、上記木箱からなる梱包箱は全体剛性を有し、輸送中に生じる振動や積載時に生じる外力から、被梱包物を守ることが可能なものの、一方で輸出入の際に検疫の為にくん蒸（燻蒸）処理が要求される等の不利な点もあり、出願人としては安全に高荷重からなる精密部品を梱包することができ、輸出入の際にくん蒸処理が必要なく、全体軽量で取り扱い易く、焼却等、廃棄処分が容易な全体紙製の梱包箱の開発を行ったところである。
【０００６】
そうした中、出願人は例えば上記特許文献１のように、被梱包物を内部に収容し、輸送中や積載時に外力が加わった状態においても、安全に輸送等を行うことを可能とした全体紙製の梱包箱の開発を行うに至ったところである。
【０００７】
本考案は、こうした開発過程の中でなされたものであり、輸送中や積載時に加わる外力から被梱包物を守り、大型のベアリングや歯車に代表される高荷重で輸送上の取り扱いにおいて精密度が要求される平面略円板状からなる被梱包物を安全に輸送、保管することを可能とする梱包箱の提供を目的としている。
【課題を解決するための手段】
【０００８】
上記課題を解決するために、本考案の梱包箱は、平面略円板状からなる被梱包物を梱包し、収容可能とする梱包箱であって、被梱包物の略円形状からなる底面部の中心を、平面略方形状をなす対角線中心位置に対応させ、その上面に載置して支持可能とする全体紙製の支持台紙と、支持台紙の上面に載置される被梱包物の平面円形をなす外周胴側部に当接し、被梱包物の外周胴側部を囲繞する状態で支持可能とする湾曲部を備え、支持台紙の上面に取着される全体紙製からなる緩衝体と、支持台紙上に載置され、緩衝体により、外周胴側部を囲繞する状態で支持される被梱包物の上方を覆い、平面方形状の上蓋部の各周辺部において下方に延びる側蓋部を備え、側蓋部を支持台紙の各辺部に当接して取着可能としてなる紙製の蓋体と、を備えることを特徴としている。
【０００９】
本考案の梱包箱において、支持台紙は、その全体を紙管原紙により形成することとしてなることが好ましい。
【００１０】
本考案の梱包箱において、緩衝体は、支持台紙の上面に載置される被梱包物の外周胴側部において、複数備えられ、複数の緩衝体のそれぞれが備える湾曲部によって、外周胴側部を囲繞する状態で支持可能とすることとしてなることが好ましい。
【００１１】
本考案の梱包箱において、緩衝体は、支持台紙の上面に載置される被梱包物の外周胴側部において、２つ備えられ、２つの緩衝体のそれぞれが備える湾曲部は、外周胴側部の曲率に対応し、２つの緩衝体はそれぞれ、全体略長方形をなし、その短辺に平行であり、交互に配置された山折り線と谷折り線からなる複数の折り線を有し、山折り線と谷折り線の一方において、その中央部には、湾曲部に対応する曲率を有する１対の曲面が形成され、山折り線と谷折り線で山折りと谷折りをそれぞれ行うことによって重合し、その重合面を貼り合わせるようにして、同じ向きの曲面を重合して半円形状の湾曲部を形成し、こうして形成される湾曲部支持台紙の上面に載置される被梱包物の外周胴側部に当接可能となるように支持台紙の上面に取着されることとしてなることが好ましい。
【００１２】
本考案の梱包箱において、緩衝体は、山折り線と谷折り線のうち曲面が形成されていない折り線に、平面略矩形状の舌片部が形成され、舌片部は、一辺が緩衝体に支持され、ほかの３辺が緩衝体から分離されて、緩衝体の長辺方向に沿って延びており、重合後に舌片部を緩衝体の側面に沿うように折り込むことにより重合された紙材の解離を抑えることが好ましい。
【００１３】
本考案の梱包箱において、緩衝体は、支持台紙の上面に載置される被梱包物の外周胴側部において、２つ備えられ、２つの緩衝体のそれぞれが備える湾曲部は、外周胴側部の曲率に対応し、２つの緩衝体はそれぞれ、全体方形状の紙材の中心に平面円形をなす、被梱包物の外周胴側部に当接可能な直径を有する円形孔を穿設し、紙材の隣接する隅部同士を対応させるように紙材を２つ折りに重合して重合面を貼り合わせるようにして円形孔により半円形状の湾曲部を形成し、こうして形成される湾曲部同士が連続するように、支持台紙の上面に載置される被梱包物の平面円形をなす外周胴側部に当接可能となるように支持台紙の上面に取着されることとしてなることが好ましい。
【００１４】
本考案の梱包箱において、緩衝体は、その全体を段ボール材により形成することとしてなることが好ましい。
【００１５】
本考案の梱包箱において、平面略方形状をなす支持台紙の下面には、平行状態にある２つの辺部と略平行に配列される少なくとも一対からなる全体紙製の脚桁材を取着することとしてなることが好ましい。
【００１６】
本考案の梱包箱において、支持台紙上に載置され、緩衝体により外周胴側部を囲繞する状態で支持される被梱包物は、側蓋部を支持台紙の各辺部に当接して取着された紙製の蓋体によりその上方が覆われ、こうして梱包された被梱包物は蓋体の平面方形状の上蓋部の対向する一対の周辺部、支持台紙の平面方形状の上蓋部の対向する一対の周辺部と交差する状態で周回し、懸け回される結束体により一体に結着することを可能としてなることが好ましい。
【００１７】
本考案の梱包箱において、平面略円板状からなる被梱包物が大型のベアリング、大型の歯車、大型のレンズのいずれかであることが好ましい。
【考案の効果】
【００１８】
本考案は、大型のベアリングや歯車，大型のレンズなどの平面略円板状からなる被梱包物を梱包し、被梱包物を安全・確実に輸送可能な梱包箱を提供することができる。
【図面の簡単な説明】
【００１９】
【図１】本考案の実施形態に係る梱包箱によって被梱包物を梱包した状態を示す斜視図である。
【図２】図１の梱包箱において、蓋体を取り付ける前の状態を示す斜視図である。
【図３】本考案の実施形態における緩衝体の構成を示す展開図である。
【図４】本考案の実施形態における蓋体の構成を示す展開図である。
【図５】（ａ）は支持台紙に脚桁材に取り付ける前の状態を示す斜視図、（ｂ）は脚桁材を取り付けた状態の支持台紙を示す斜視図である。
【図６】支持台紙に対する緩衝体及び被梱包物としてのベアリングの配置を示す斜視図である。
【考案を実施するための形態】
【００２０】
以下、本考案の実施形態に係る梱包箱について図面を参照しつつ詳しく説明する。本実施形態では、大型のベアリングを梱包するための梱包箱を例に挙げるが、平面略円板状、すなわち、上下方向に沿って見た平面視において略円形状であって、上下方向に沿って所定の厚みを有する形状の被梱包物（対象物）であればこれに適用でき、例えば、歯車、レンズなどの梱包にも用いることができる。各図には、基準座標としてＸ−Ｙ−Ｚ座標が示されている。以下の説明において、Ｚ１−Ｚ２方向を上下方向、Ｘ１−Ｘ２方向を前後方向、Ｙ１−Ｙ２方向を左右方向と称する。Ｘ１−Ｘ２方向とＹ１−Ｙ２方向は互いに垂直であり、これらを含むＸ−Ｙ平面はＺ１−Ｚ２方向に垂直である。また、上側（Ｚ１側）から下側（Ｚ２側）を見た状態を平面視と言うことがある。
【００２１】
図１又は図２に示すように、梱包箱１０は、被梱包物としてのベアリングＳを内部に収容可能であって、支持台紙２０と、緩衝体３０ａ、３０ｂと、蓋体４０と備える。ベアリングＳは、上下方向（図１、図２の上下方向（Ｚ１−Ｚ２方向））に沿って見た平面視において、外形が略円形状をなしており、上下方向に沿って所定の厚みを有する形状を備えた軸受である。
【００２２】
図５（ａ）、（ｂ）に示すように、支持台紙２０は平面視略方形状の板材であって、その全体が紙管原紙によって形成されている。支持台紙２０の前後方向（Ｘ１−Ｘ２方向）において互いに対向する２辺の中央には、内側に凹むように一対の切り欠き部２０ａが形成されている。支持台紙２０においては、図６において破線で示すように、一対の切り欠き部２０ａを挟んで、左側（Ｙ１側）に第１領域２１が設定され、右側（Ｙ２側）に第２領域２２が設定され、さらに、第１領域２１と第２領域２２の間には、前後方向において一対の切り欠き部２０ａに挟まれた第３領域２３が設定されている。
【００２３】
図５（ａ）、（ｂ）に示すように、支持台紙２０の下面には、平行状態にある２つの辺部と略平行に配列される少なくとも一対からなる全体紙製の脚桁材５１、５２が取着される。これらの脚桁材５１、５２は、段ボール材又は紙管原紙によって形成され、支持台紙２０の４つのコーナー部をそれぞれ上下に貫通させた４つのビス５３によって固定される。支持台紙２０においては、ベアリングＳの略円形状からなる底面部の中心を、平面視略方形状をなす支持台紙２０の対角線が交差する中心位置に対応させ、その上面２０ｂ（図５（ｂ））に載置して支持可能としている。
【００２４】
緩衝体３０ａ、３０ｂは、全体が段ボール材からなり、図３に示すような略長方形状の展開形状を有し、重合された状態で支持台紙２０の上面２０ｂに載置される（図６参照）。より具体的には、左側の緩衝体３０ａは支持台紙２０の左側の第１領域２１上に配置され、右側の緩衝体３０ｂは支持台紙２０の右側の第２領域２２上に配置され、平面視において、左右の緩衝体３０ａ、３０ｂは、支持台紙２０の中央の第３領域２３に対応する間隙を置いて、左右方向において互いに対向するように配置されている。緩衝体３０ａ、３０ｂは、接着等によって支持台紙２０上に固定される。
【００２５】
緩衝体３０ａ、３０ｂは、それぞれ、図３の展開図に示す展開形状（平面形状）を備え、その幅方向Ｗに沿って延び、長手方向Ｌの一方から他方へ順に設けられた、６本の折り線Ｆ１１、Ｆ２１、Ｆ１２、Ｆ２２、Ｆ１３、Ｆ２３を有する。これらの折り線によって、緩衝体３０ａ、３０ｂは、それぞれ、長手方向Ｌの一方から他方へ順に、７つのブロック３１、３２、３３、３４、３５、３６、３７に分けられる。
【００２６】
第１のブロック３１には長手方向Ｌの第２のブロック３２側へ凹んだ湾曲線３１ｃが、第２のブロック３２には長手方向Ｌの第１のブロック３１側へ凹んだ湾曲線３２ｃが、第３のブロック３３には長手方向Ｌの第４のブロック３４側へ凹んだ湾曲線３３ｃが、第４のブロック３４には長手方向Ｌの第３のブロック３３側へ凹んだ湾曲線３４ｃが、第５のブロック３５には長手方向Ｌの第６のブロック３６側へ凹んだ湾曲線３５ｃが、それぞれ設けられている。
【００２７】
これら５つの湾曲線３１ｃ、３２ｃ、３３ｃ、３４ｃ、３５ｃは、ベアリングＳの外周胴側部Ｓａ（図２参照）の曲率、すなわち、軸受としてのベアリングＳの外輪の外周面の曲率に対応した曲率を有する。
【００２８】
３つの折り線Ｆ１１、Ｆ１２、Ｆ１３を山折り線とし、これらの間に位置する３つの折り線Ｆ２１、Ｆ２２、Ｆ２３を谷折り線として緩衝体３０ａ、３０ｂをそれぞれ折ると、７つのブロック３１、３２、３３、３４、３５、３６、３７は、重合面として、順に隣り合うブロックと重合される。
【００２９】
このように緩衝体３０ａ、３０ｂを折ったとき、第１のブロック３１の湾曲線３１ｃと、第２のブロック３２の湾曲線３２ｃと、第３のブロック３３の湾曲線３３ｃと、第４のブロック３４の湾曲線３４ｃと、第５のブロック３５の湾曲線３５ｃと、が上下方向において互いに重なり、一つの湾曲面としての半円形状の湾曲部３０ｃが形成される（図６参照）。緩衝体３０ａ、３０ｂを重合したことによって形成される湾曲部３０ｃは、ベアリングＳの外周胴側部Ｓａの曲率を有する。
【００３０】
図６に示すように、緩衝体３０ａ、３０ｂにおいて、湾曲部３０ｃの下方では、２つのブロック３６、３７が重ねられて平面視略長方形とされており、その一部が、湾曲部３０ｃによって、左右方向に凹んだ部分の下側に、ベアリングＳを載置する載置領域３０ｄとして形成されている。この載置領域３０ｄと湾曲部３０ｃとによって、ベアリングＳを載置する空間が形成される。
【００３１】
図３に示すように、３つの折り線Ｆ１１、Ｆ１２、Ｆ１３には、幅方向Ｗにおいて互いに対応する位置に、平面視矩形状の舌片部３１ｐ、３３ｐ、３５ｐが１対ずつ設けられている。これらの舌片部は矩形のうち長手方向の一辺を残して３辺を切除可能とされており、６本の折り線Ｆ１１、Ｆ２１、Ｆ１２、Ｆ２２、Ｆ１３、Ｆ２３で緩衝体３０ａ、３０ｂを折り曲げたときに切除するとともに、緩衝体３０ａ、３０ｂの側面に沿うように内側に、押入しながら折り込まれる。緩衝体３０ａ、３０ｂは、その重合の際に、接着等によって隣り合うブロックを貼り合わせて固定されるが、舌片部の折り込みによって、重合された紙材の解離を抑えることができ、重合の固定強度を高めることができる。
なお、緩衝体３０ａ、３０ｂの折り込みは、上述の山折りと谷折りを逆にして行ってもよい。
【００３２】
図６に示すように、重合された緩衝体３０ａ、３０ｂは、支持台紙２０の第１領域２１と第２領域２２に対して、湾曲部３０ｃが互いに対向するように配置・固定される。そして、湾曲部３０ｃが外周胴側部Ｓａに当接するように、載置領域３０ｄを介して、支持台紙２０上にベアリングＳが載置される。これにより、図２に示すように、ベアリングＳの外周胴側部Ｓａが湾曲部３０ｃによって囲繞され、ベアリングＳの下部は、載置領域３０ｄを介して支持台紙２０に支持され、外周胴側部Ｓａは緩衝体３０ａ、３０ｂによって支持される。
【００３３】
さらに、固定ベルト６１を、前後２つの切り欠き部２０ａ内に掛止するとともに、支持台紙２０の底面に当接させ、かつ、ベアリングＳの上面に当接させるように懸け回すことにより、支持台紙２０及び緩衝体３０ａ、３０ｂに対してベアリングＳが固定される。
【００３４】
蓋体４０は、全体が段ボール材からなり、図４に示すような略長方形状の展開形状を有する。長手方向Ｌの一方から他方へ順に設けられた、５つの折り線Ｆ３１、Ｆ３２、Ｆ３３、Ｆ３４をそれぞれ山折りすることによって、４つの側蓋体４１、４２、４３、４４（周辺部）を有し、上下に貫通した、平面視方形状の中空体が形成される。この中空体は、折り線Ｆ３４で折られた片部４５を側蓋体４１に対して接着等によって貼り付けて固定することで閉じられる。
【００３５】
さらに、第１の側蓋体４１から延びる第１の片部４１ａを折り線Ｆ４１で内側へ折り込み、第３の側蓋体４３から延びる第３の片部４３ａを折り線Ｆ４３で内側へ折り込み、さらに、第１の片部４１ａと第３の片部４３ａを外側から覆うように、第２の側蓋体４２から延びる第２の片部４２ａを折り線Ｆ４２で内側へ折り込み、第４の側蓋体４４から延びる第４の片部４４ａを折り線Ｆ４４で内側へ折り込んだ後に、第２の片部４２ａと第４の片部４４ａに対して、例えば、粘着テープを懸け渡して貼り付けることによって蓋体の上部を閉じた上蓋部が形成される。これによって、下部が開放された中空の箱体としての蓋体４０が形成される。
【００３６】
このように形成された蓋体４０は、支持台紙２０上に載置されたベアリングＳの上方を覆うように配置される。４つの側蓋体４１、４２、４３、４４は、その内面が、全体として平面視略方形状をなしており、支持台紙２０上の緩衝体３０ａ、３０ｂの４つの外側面（４つの各辺部）にそれぞれ接触するように載置される（図１、図２参照）。
【００３７】
蓋体４０において互いに対向する側蓋体４２、４４、及び、支持台紙２０に接触するように、結束体としての２本の結束ベルト６２、６３が懸け回され、これによって、蓋体４０が、緩衝体３０ａ、３０ｂ、及び、ベアリングＳが載置された支持台紙２０に対して結着される。この結束バンド６２、６３は、２本の脚桁材５１、５２の間において、これらに平行となるように配置される。
【００３８】
以上のように構成されたことから、上記実施形態によれば、輸送中や積載中に加わる外力から被梱包物を守ることができ、大型のベアリングや歯車に代表される高荷重で輸送上の取り扱いにおいて精密度が要求される平面略円板状からなる被梱包物を安全に輸送、保管することを可能となる。さらに、蓋体４０と緩衝体３０ａ、３０ｂを段ボール材で形成し、脚桁材５１、５２を段ボール等の紙材で形成し、支持台紙２０を、段ボールよりも高い強度を有する紙管原紙によって形成しているため、高荷重の被梱包物に載置に耐えうる一定の強度を実現しつつ、軽量化を可能とし、さらに、木箱からなる梱包箱のようなくん蒸処理が不要となり、使用後は焼却等によって簡便に廃棄することが可能となり、取り扱いやすさが大幅に向上した梱包箱を実現することができる。
【００３９】
以下に変形例について説明する。
上記実施形態では、略長方形状の展開形状を有し、複数の折り線で折って重合させる、２つの緩衝体３０ａ、３０ｂを用いていたが、ベアリングＳ（被梱包物）の外周胴側部Ｓａを囲繞できる湾曲部を形成できれば、この形状に限定されない。例えば、展開形状が、全体として方形状（正方形状）の紙材の中心に、平面円形をなす、ベアリングＳの外周胴側部に当接可能な直径を有する円形孔を穿設し、この紙材の隣接する隅部同士を対応させるように紙材を２つ折りに重合して重合面を貼り合わせるようにして円形孔により半円形状の湾曲部を形成し、こうして形成される湾曲部同士が連続するようにしてもよい。これにより、支持台紙２０の上面２０ｂ上に載置されるベアリングＳの平面円形をなす外周胴側部Ｓａに当接可能となるように支持台紙２０の上面２０ｂに取着される。この構成によれば、中央に円形孔を設けた方形板状の紙材を形成し、重合工程が１回の折り曲げでよいため、紙材の加工工程や重合工程を簡素化することができる。
【００４０】
また、上記実施形態においては、２つの緩衝体３０ａ、３０ｂでベアリングＳを囲繞していたが、重合によって形成された湾曲部によって、ベアリングＳを囲繞できれば、緩衝体の数は３つ以上であってもよい。
本考案について上記実施形態を参照しつつ説明したが、本考案は上記実施形態に限定されるものではなく、改良の目的または本考案の思想の範囲内において改良または変更が可能である。
【産業上の利用可能性】
【００４１】
以上のように、本考案に係る梱包箱は、大型のベアリングや歯車，大型のレンズなどの平面略円板状からなる被梱包物を梱包し、被梱包物を安全・確実に輸送可能である点で有用である。
【符号の説明】
【００４２】
１０    梱包箱
２０    支持台紙
２０ａ  切り欠き部
２０ｂ  支持台紙の上面
２１    第１領域
２２    第２領域
２３    第３領域
３０ａ、３０ｂ  緩衝体
３０ｃ  湾曲部
３０ｄ  載置領域
３１、３２、３３、３４、３５、３６、３７  ブロック
３１ｃ、３２ｃ、３３ｃ、３４ｃ、３５ｃ  湾曲線
３１ｐ、３３ｐ、３５ｐ  舌片部
４０    蓋体
４１、４２、４３、４４  側蓋体
４１ａ、４２ａ、４３ａ、４４ａ、４５  片部
５１、５２      脚桁材
５３    ビス
６１    固定ベルト
６２、６３      結束ベルト
Ｆ１１、Ｆ１２、Ｆ１３、Ｆ２１、Ｆ２２、Ｆ２３  折り線
Ｆ３１、Ｆ３２、Ｆ３３、Ｆ３４、Ｆ４１、Ｆ４２、Ｆ４３、Ｆ４４  折り線
Ｌ      長手方向
Ｓ      ベアリング（被梱包物）
Ｓａ    外周胴側部
Ｗ      幅方向
【図１】
0003226789.tif 000003
【図２】
0003226789.tif 000004
【図３】
0003226789.tif 000005
【図４】
0003226789.tif 000006
【図５】
0003226789.tif 000007
【図６】
0003226789.tif 000008